(57)【要約】【課題】スラグ分布の状態、溶融金属を入れる容器の変化等に応じたより柔軟なスラグの除去を可能にするスラグ除去装置を提供する。【解決手段】溶融金属１上のスラグ２をすくい取るためのスラグ収集部５０、スラグ収集部５０を矢印２０で示すように旋回させるスラグ収集部旋回装置６０、スラグ収集部を水平方向及び垂直方向に移動させるスラグ収集部垂直・水平移動機構（６〜９、６０）を有するスラグ除去装置４０とする。【選択図】図１
2009173957.tif 000002
【特許請求の範囲】
【請求項１】
溶融金属上のスラグをすくい取るためのスラグ収集部、及び
前記スラグ収集部を旋回させるスラグ収集部旋回装置、
を有し、且つ前記スラグ収集部旋回装置が、前記スラグ収集部を前記溶融金属の表面に沿う方向に旋回させる、スラグ除去装置。
【請求項２】
前記スラグ収集部を水平方向及び垂直方向に移動させるスラグ収集部垂直・水平移動機構、
を更に有する、請求項１に記載のスラグ除去装置。
【請求項３】
前記スラグ収集部が、少なくとも第１及び第２の部分から構成されており、
前記スラグ除去装置が、前記第１及び第２の部分の少なくとも一方を旋回させる挟み込み旋回装置を更に有し、且つ
前記挟み込み旋回装置が、前記第１と第２の部分とで溶融金属上のスラグを挟み込んですくい取るようにして、前記第１及び第２の部分の少なくとも一方を前記溶融金属の表面に沿う方向に旋回させる、
請求項１又は２に記載のスラグ除去装置。
【請求項４】
前記スラグ収集部を構成している前記第１及び第２の部分が、スラグ収集器と板状体との組み合わせ、又は２つのスラグ収集器の組み合わせである、請求項３に記載のスラグ除去装置。
【請求項５】
前記スラグ除去装置が、前記スラグ収集部を傾動させるスラグ収集部傾動装置を更に有し、且つ
前記スラグ収集部傾動装置が、前記スラグ収集部の収集口が前記溶融金属又はその上のスラグに対して斜めに侵入するようにして、前記スラグ収集部を傾動させる、
請求項１又は２に記載のスラグ除去装置。
【請求項６】
スラグ除去装置が、前記スラグ収集部と協働するスラグ収集協働部を有し、且つ
前記スラグ収集協働部が、前記スラグ収集部との間でスラグを挟み込んでスラグを前記スラグ収集部にすくい取らせ、且つ／又は前記スラグ収集部上のスラグを掻き出す、
請求項５に記載のスラグ除去装置。
【請求項７】
前記スラグ収集部の内側底部が、水平面に対して傾斜しており、且つ
前記スラグ収集部の内側底部が、その傾斜の下側部分に、スラグと溶融金属とを分離するための開口部を有する、
請求項５又は６に記載のスラグ除去装置。
【請求項８】
前記スラグ収集部が、少なくとも第１及び第２の部分から構成されており、
前記スラグ除去装置が、前記第１及び第２の部分を分離させるスラグ収集部分離装置を有し、且つ
前記スラグ収集部分離装置が、水平面に対する前記第１及び／又は第２の部分の内側底部の傾きが大きくなるようにして、前記第１及び第２の部分を分離させる、
請求項５〜７のいずれかに記載のスラグ除去装置。
【請求項９】
下記の工程（ａ）〜（ｃ）を含む、請求項１〜８のいずれかに記載のスラグ除去装置を使用して前記溶融金属上のスラグを除去する方法：
（ａ）前記スラグ収集部旋回装置によって、前記スラグ収集部がスラグと接触していない状態で、前記スラグ収集部を溶融金属の表面に沿う方向に旋回させて、前記スラグ収集部を所定位置に配置すること、
（ｂ）工程（ａ）の後で、前記スラグ収集部を、前記スラグ収集部の下部が前記溶融金属の表面又はその下に達するまで降下させること、及び
（ｃ）工程（ｂ）の後で、前記スラグ収集部によって、前記溶融金属上のスラグをすくい取ること。
【請求項１０】
工程（ｂ）において、前記スラグ収集部を、前記スラグ収集部が前記溶融金属上のスラグの上部に接触するまで降下させ、前記スラグ収集部旋回装置によって、前記スラグ収集部を全体として前記溶融金属の表面に沿う方向に旋回させて、前記溶融金属上のスラグを押しのけて前記溶融金属表面を露出させ、そして前記溶融金属が露出した箇所で、前記スラグ収集部を、前記スラグ収集部の下部が前記溶融金属の表面又はその下に達するまで降下させることを含む、請求項９に記載の方法に記載の方法。
【請求項１１】
前記溶融金属が、脱ケイ素、脱リン及び／又は脱硫処理された溶銑である、請求項９又は１０に記載のスラグ除去方法。
【請求項１２】
請求項３又は４に記載のスラグ除去装置を使用して、前記溶融金属上のスラグを除去する、請求項９〜１１のいずれかに記載の方法であって、
工程（ｃ）において、前記スラグ収集部旋回装置によって、前記スラグ収集部を全体として前記溶融金属の表面に沿う方向に旋回させて、前記スラグ収集部を構成している前記第１及び第２の部分の一方によって、溶融金属上のスラグの一部をすくい取り、そして前記挟み込み旋回装置によって、前記第１及び第２の部分の少なくとも一方を前記溶融金属の表面に沿う方向に旋回させて、前記第１と第２の部分とで、前記溶融金属上のスラグの残部を挟み込んですくい取る、請求項９〜１１のいずれかに記載の方法。
【発明の詳細な説明】
【技術分野】
【０００１】
本発明は、溶融金属上のスラグをすくい取って除去するスラグ除去装置、及びこのスラグ除去装置を使用するスラグ除去方法に関する。
【背景技術】
【０００２】
従来の溶銑予備処理用のスラグ除去装置では、専用の傾動装置によって溶銑面が鍋の払い出し部分まで達するように溶銑鍋を傾かせ、そして溶銑上に浮遊するスラグを、その払い出し部分から掻き出し板で掻き出している。
【０００３】
一般に溶銑の予備処理工程の後で、溶銑鍋中の溶銑上に浮遊しているスラグをこのような方法で排出する場合、スラグ除去装置を運転する運転者の技量に依存してその効率が著しく変わり、また溶銑がスラグと共にスラグスポットへ流れ出て、製品ロスを生じたり、スラグスポットが損傷するなどの問題が生じていた。
【０００４】
この問題を解決するために、近年、この傾動装置を用いずに、鍋を鉛直状態に維持したままで、鍋の内部のスラグをすくい取ることが提案されている（特許文献１）。
【０００５】
【特許文献１】特開２００７−５１５５５４
【発明の開示】
【発明が解決しようとする課題】
【０００６】
特許文献１に記載の方法では、溶銑鍋を傾かせて浮遊するスラグを掻き出すという従来のスラグ除去方法の問題点を部分的に解決している。しかしながら、この特許文献１に記載の方法も、特にスラグ分布の状態、溶融金属を入れる容器の変化等に応じたより柔軟なスラグの除去に関して、最適なスラグ除去を達成しているとは言えない。よって本発明は、スラグ分布の状態、溶融金属を入れる容器の変化等に応じたより柔軟なスラグの除去を可能にするスラグ除去装置を提供する。
【課題を解決するための手段】
【０００７】
本発明は下記に示すようなものである：
【０００８】
（１）溶融金属上のスラグをすくい取るためのスラグ収集部、及び
上記スラグ収集部を旋回させるスラグ収集部旋回装置、
を有し、且つ上記スラグ収集部旋回装置が、上記スラグ収集部を上記溶融金属の表面に沿う方向に旋回させる、スラグ除去装置。
【０００９】
（２）上記スラグ収集部を水平方向及び垂直方向に移動させるスラグ収集部垂直・水平移動機構、
を更に有する、上記第（１）項に記載のスラグ除去装置。
【００１０】
（３）上記スラグ収集部が、少なくとも第１及び第２の部分から構成されており、
上記スラグ除去装置が、上記第１及び第２の部分の少なくとも一方を旋回させる挟み込み旋回装置を更に有し、且つ
上記挟み込み旋回装置が、上記第１と第２の部分とで溶融金属上のスラグを挟み込んですくい取るようにして、上記第１及び第２の部分の少なくとも一方を上記溶融金属の表面に沿う方向に旋回させる、
上記第（１）又は（２）項に記載のスラグ除去装置。
【００１１】
（４）上記スラグ収集部を構成している上記第１及び第２の部分が、スラグ収集器と板状体との組み合わせ、又は２つのスラグ収集器の組み合わせである、上記第（３）項に記載のスラグ除去装置。
【００１２】
（５）上記スラグ除去装置が、上記スラグ収集部を傾動させるスラグ収集部傾動装置を更に有し、且つ
上記スラグ収集部傾動装置が、上記スラグ収集部の収集口が上記溶融金属又はその上のスラグに対して斜めに侵入するようにして、上記スラグ収集部を傾動させる、
上記第（１）又は（２）項に記載のスラグ除去装置。
【００１３】
（６）スラグ除去装置が、上記スラグ収集部と協働するスラグ収集協働部を有し、且つ
上記スラグ収集協働部が、上記スラグ収集部との間でスラグを挟み込んでスラグを上記スラグ収集部にすくい取らせ、且つ／又は上記スラグ収集部上のスラグを掻き出す、
上記第（５）項に記載のスラグ除去装置。
【００１４】
（７）上記スラグ収集部の内側底部が、水平面に対して傾斜しており、且つ
上記スラグ収集部の内側底部が、その傾斜の下側部分に、スラグと溶融金属とを分離するための開口部を有する、
上記第（５）又は（６）項に記載のスラグ除去装置。
【００１５】
（８）上記スラグ収集部が、少なくとも第１及び第２の部分から構成されており、
上記スラグ除去装置が、上記第１及び第２の部分を分離させるスラグ収集部分離装置を有し、且つ
上記スラグ収集部分離装置が、水平面に対する上記第１及び／又は第２の部分の内側底部の傾きが大きくなるようにして、上記第１及び第２の部分を分離させる、
上記第（５）〜（７）項のいずれかに記載のスラグ除去装置。
【００１６】
（９）下記の工程（ａ）〜（ｃ）を含む、上記第（１）〜（８）項のいずれかに記載のスラグ除去装置を使用して前記溶融金属上のスラグを除去する方法：
（ａ）上記スラグ収集部旋回装置によって、上記スラグ収集部がスラグと接触していない状態で、上記スラグ収集部を溶融金属の表面に沿う方向に旋回させて、上記スラグ収集部を所定位置に配置すること、
（ｂ）工程（ａ）の後で、上記スラグ収集部を、上記スラグ収集部の下部が上記溶融金属の表面又はその下に達するまで降下させること、及び
（ｃ）工程（ｂ）の後で、上記スラグ収集部によって、上記溶融金属上のスラグをすくい取ること。
【００１７】
（１０）工程（ｂ）において、上記スラグ収集部を、上記スラグ収集部が上記溶融金属上のスラグの上部に接触するまで降下させ、上記スラグ収集部旋回装置によって、上記スラグ収集部を全体として上記溶融金属の表面に沿う方向に旋回させて、上記溶融金属上のスラグを押しのけて上記溶融金属表面を露出させ、そして上記溶融金属が露出した箇所で、上記スラグ収集部を、上記スラグ収集部の下部が上記溶融金属の表面又はその下に達するまで降下させることを含む、上記第（９）項に記載の方法に記載の方法。
【００１８】
（１１）上記溶融金属が、脱ケイ素、脱リン及び／又は脱硫処理された溶銑である、上記第（９）又は（１０）項に記載のスラグ除去方法。
【００１９】
（１２）上記第（３）又は（４）項に記載のスラグ除去装置を使用して、上記溶融金属上のスラグを除去する、上記第（９）〜（１１）項のいずれかに記載の方法であって、
工程（ｃ）において、上記スラグ収集部旋回装置によって、上記スラグ収集部を全体として上記溶融金属の表面に沿う方向に旋回させて、上記スラグ収集部を構成している上記第１及び第２の部分の一方によって、溶融金属上のスラグの一部をすくい取り、そして上記挟み込み旋回装置によって、上記第１及び第２の部分の少なくとも一方を上記溶融金属の表面に沿う方向に旋回させて、上記第１と第２の部分とで、上記溶融金属上のスラグの残部を挟み込んですくい取る、上記第（９）〜（１１）項のいずれかに記載の方法。
【００２０】
本発明に関して、「スラグ収集部」は、溶融金属上のスラグをすくい取って収集できる任意の構造を有することができ、これは例えば、スラグを収集するための容器状、皿状等の形状を有する部分である。この「スラグ収集部」は、底部及び/又は側面に、スラグの収集に際して問題にならない程度の開口部又は格子状部を有して、スラグ収集部に収集されたスラグと溶融金属との分離を促進してもよい。また、本発明に関して、「溶融金属」としては、溶銑、溶鋼等の溶融状態にある任意の金属を挙げることができる。
【発明を実施するための最良の形態】
【００２１】
本発明のスラグ除去装置は、溶融金属上のスラグをすくい取るためのスラグ収集部、及びスラグ収集部旋回装置を有する。ここでこのスラグ収集部旋回装置は、スラグ収集部を溶融金属の表面に沿う方向に旋回させる装置である。またこの本発明のスラグ除去装置は、スラグ収集部を水平方向及び垂直方向に移動させるスラグ収集部垂直・水平移動機構を更に有することができる。
【００２２】
本発明のスラグ除去装置によれば、スラグ収集部によってスラグをすくい取るときに、そのすくい取り動作を任意の位置から開始させることができる。溶融金属上のスラグは、必ずしも均一に分散しておらず、また複数回のスラグ除去作業を行ううちに、スラグが溶融金属上の一部の領域に偏在することがある。したがってこのような場合に、本発明のスラグ収集部旋回装置によれば、スラグ収集部によるすくい取り動作を所望の位置から開始して、溶融金属上のスラグの除去を効率化できる。
【００２３】
また、溶銑予備処理では、インジェクション法などで粉体を溶銑中に吹き込むので、その際の溶銑の飛散等により、溶銑鍋の内周が部分的に小さくなって変形することがある。更に、溶銑鍋内の内周は、レンガの摩耗により部分的に大きくなって変形することもある。このような場合にも、本発明のスラグ収集部旋回装置によれば、そのすくい取り動作を所望の位置から開始して、溶銑上のスラグの除去を効率化できる。
【００２４】
これに関して、本発明のスラグ除去装置を使用して溶融金属上のスラグを除去する方法は、（ａ）スラグ収集部旋回装置によって、スラグ収集部がスラグと接触していない状態で、スラグ収集部を溶融金属の表面に沿う方向に旋回させて、スラグ収集部を所定位置に配置し、（ｂ）スラグ収集部を、スラグ収集部の下部が溶融金属の表面又はその下に達するまで降下させ、そして（ｃ）スラグ収集部によって、溶融金属上のスラグをすくい取ることを含むことができる。
【００２５】
また、本発明のスラグ除去装置によれば、スラグ収集部を旋回させながら、スラグ収集部を溶融金属の表面まで降下させることもできる。この場合、スラグ収集部の旋回によって溶融金属上のスラグを押し除けながら、スラグ収集部を溶融金属の表面まで降下させることができる。
【００２６】
これに関して、本発明のスラグ除去装置を使用して溶融金属上のスラグを除去する方法は、スラグ収集部を、スラグ収集部の下部が溶融金属の表面又はその下に達するまで降下させる際に、スラグ収集部旋回装置によって、スラグ収集部を全体として溶融金属の表面に沿う方向に旋回させて、溶融金属上のスラグを押しのけて溶融金属表面を露出させ、そして溶融金属が露出した箇所で、スラグ収集部を、スラグ収集部の下部が溶融金属の表面又はその下に達するまで降下させることを含むことができる。
【００２７】
ここで本発明のスラグ除去装置を使用してスラグを除去される溶融金属は、脱ケイ素、脱リン及び／又は脱硫処理された溶銑、特に脱硫処理された溶銑であってよい。脱硫処理された溶銑からスラグを除去するときに溶銑上にスラグが残留すると、スラグから溶銑に硫黄分が戻ってしまうので、本発明のスラグ除去装置を用いてスラグを効果的に除去することは特に好ましい。
【００２８】
図１に示す本発明のスラグ除去装置の１つの例では、本発明のスラグ除去装置４０は、溶融金属１上のスラグ２をすくい取るためのスラグ収集部５０、及びスラグ収集部旋回装置６０を有する。このスラグ収集部旋回装置６０は、溶融金属１上のスラグ２をすくい取るためのスラグ収集部５０を全体として、矢印２０で示すようにして、溶融金属１の表面に沿う方向に旋回させることができる。
【００２９】
この図１に示す形式では、スラグ収集部旋回装置６０は、スラグ収集部５０を、矢印２２で示すようにして垂直方向（Ｚ方向）に移動させることができるスラグ収集部垂直移動機構としても機能している。スラグ収集部旋回装置６０は、矢印２１で示すようにしてガーター又はレール７上で水平移動させることができる横行装置９に取り付けられている。またこのガーター又はレール７は、車輪６を有し、それによって受け梁８上で横行装置９とは異なる方向（図１示す形式では図の手前側から奥側に向かう方向又はその反対方向）に水平移動できるようにされている。この図１に示す形式では、これらの車輪６、ガーター又はレール７、受け梁８及び横行装置９が、スラグ収集部５０を水平方向（ＸＹ方向）に移動させる水平移動機構として機能する。図１に示すスラグ除去装置４０では、このようなスラグ収集部垂直・水平移動機構によって、スラグ収集部５０を、垂直及び水平移動させることができる。
【００３０】
本発明のスラグ除去装置４０を用いて溶融金属１上のスラグ２を除去する場合、初めにスラグ収集部旋回装置６０によって、スラグ収集部５０がスラグ２と接触していない状態で、矢印２０で示すようにして、スラグ収集部５０を溶融金属１の表面に沿う方向に旋回させて、スラグ収集部５０によるスラグの収集を所望の位置から開始できるように準備する。
【００３１】
その後、スラグ収集部水平移動機構としての横行装置９等、及びスラグ収集部垂直移動機構としてのスラグ収集部旋回装置６０によって、スラグ収集部５０を溶融金属鍋３内に入れ、スラグ収集部５０で溶融金属１上のスラグ２をすくい取る。スラグ２をすくい取った後で再び、スラグ収集部水平移動機構としての横行装置９等、及びスラグ収集部垂直移動機構としてのスラグ収集部旋回装置６０によって、スラグ収集部５０を溶融金属鍋３から出して、スラグ収集部５０がスラグポット４内又はその上に来るようにし、スラグ収集部５０ですくい取ったスラグ２を、スラグポット４内に排出する。
【００３２】
［第１の形式］
本発明のスラグ除去装置の第１の形式では、スラグ収集部が、少なくとも第１及び第２の部分から構成されており、且つスラグ除去装置が、第１及び第２の部分の少なくとも一方を旋回させる挟み込み旋回装置を更に有する。ここでこの挟み込み旋回装置は、第１と第２の部分とで溶融金属上のスラグを挟み込んですくい取るようにして、第１及び第２の部分の少なくとも一方を溶融金属の表面に沿う方向に旋回させる。
【００３３】
当然に、第１及び第２の部分の両方を、溶融金属の表面に沿う方向に旋回させることができる。また、第１及び第２の部分は、同一の軸の周りに旋回させること、又はそれぞれ異なる軸の周りに旋回させることができる。
【００３４】
本発明のスラグ除去装置の第１の形式では、スラグ収集部を構成している第１及び第２の部分が、スラグ収集器と板状体との組み合わせ、又は２つのスラグ収集器の組み合わせであってよい。ここでこのスラグ収集器は、スラグ収集部を構成している部分であって、スラグを収集するための容器状、皿状等の形状を有する部分である。
【００３５】
この本発明のスラグ除去装置によれば、第１及び第２の部分を旋回させて溶融金属上のスラグを挟み込むことによって、スラグの収集を確実に行うことができる。
【００３６】
これに関して、本発明のスラグ除去装置の第１の形式を使用して溶融金属上のスラグを除去する方法は、スラグ収集部によって溶融金属上のスラグをすくい取る際に、スラグ収集部旋回装置によって、スラグ収集部を全体として溶融金属の表面に沿う方向に旋回させて、例えば少なくとも１／２回転又は少なくとも１回転旋回させて、スラグ収集部を構成している第１及び第２の部分の一方によって、溶融金属上のスラグの一部をすくい取り、そしてその後で、挟み込み旋回装置によって、第１及び第２の部分の少なくとも一方を溶融金属の表面に沿う方向に旋回させて、第１と第２の部分とで、溶融金属上のスラグの残部を挟み込んですくい取ることができる。
【００３７】
本発明のスラグ除去装置の第１の形式の例は、図２に示すようなものであってよい。ここで図２（ａ）は、溶融金属１及びスラグ２上のスラグ収集部１００の上面図であり、図２（ｂ）は、この例のスラグ収集部１００の斜視図である。
【００３８】
図２で示されている例では、スラグ収集部１００は、スラグ収集器１０１と板状体１０２との組み合わせから構成されている。スラグ収集器１０１と板状体１０２との組み合わせから構成されているスラグ収集部１００は全体として、スラグ収集部旋回装置によって、矢印１２１及び１２２で示されているように、軸１１０の周りに鍋３内の溶融金属１の表面に沿う方向で旋回させることができる。また、これらのスラグ収集器１０１と板状体１０２は、挟み込み旋回装置によって、それぞれ矢印１２１及び１２３で示されているように、溶融金属１上のスラグ２を挟み込むようにして同一の軸１１０の周りに相対的に反対向きに溶融金属１の表面に沿う方向に旋回させることができる。
【００３９】
なお、スラグ収集部旋回装置及び挟み込み旋回装置はいずれも、油圧モーター、油圧シリンダー、電気モーター、電気モーターと歯車との組合せのような任意の駆動機構を有することができる。またここでは、挟み込み旋回装置が、スラグ収集部旋回装置としても機能することもある。
【００４０】
より具体的には、図２で示されている本発明のスラグ除去装置の第１の形式の例は、図３に示すようにして操作できる。すなわち、初めに図３（ａ）で示すように、スラグ収集部旋回装置によって、溶融金属１が入っている鍋３の上で、スラグ収集部１００全体を、軸１１０の周りで旋回（矢印１３１及び１３２）させて、スラグのすくい取り動作を開始する位置を決める。
【００４１】
次に、図３（ｂ）で示すように、スラグ収集部１００全体を、スラグのすくい取り動作を開始する位置に配置した後で、スラグ収集部１００を降下させる。
【００４２】
その後、図３（ｃ）で示すように、挟み込み旋回装置によって、スラグ収集部１００を構成しているスラグ収集器１０１と板状体１０２とを、軸１１０の周りに反対向きに旋回（それぞれ矢印１３３及び１３４）させ、そして図３（ｄ）で示すように、溶融金属１上のスラグ２を挟み込んで収集する。
【００４３】
ここでは、スラグ収集部１００全体を溶融金属１の表面まで降下させた後で（図３（ｂ））、スラグ収集器１０１及び板状体１０２を旋回させてスラグ２を挟み込んで収集（図３（ｃ）及び（ｄ））した。しかしながら、スラグ収集部１００全体を溶融金属１の表面まで降下させた後で（図３（ｂ））、スラグ収集部旋回装置によって更にスラグ収集部１００全体を溶融金属１の表面に沿う方向に旋回させて、スラグ収集器１０１によって、溶融金属１上のスラグ２を大まかにすくい取り（図４（ａ）〜（ｄ））、そしてその後で、挟み込み旋回装置によって、スラグ収集器１０１と板状体１０２とを反対向きに旋回させて、スラグの残部を挟み込んで確実に収集（図３（ｃ）及び（ｄ））することもできる。
【００４４】
この場合には、スラグ収集器１０１及び板状体１０２でスラグを挟み込んで収集するのに加えて更に、スラグ収集部１００全体を旋回させてスラグ収集器１０１によってスラグをすくい取ることによって、一回のスラグ収集動作で複数回にわたって溶融金属上のスラグを収集できる。スラグ収集部１００全体を旋回させてスラグ収集器１０１によってスラグをすくい取るためには、例えばスラグ収集部１００全体を少なくとも１／２回転、少なくとも１回転させることができる。
【００４５】
なお、スラグ収集部１００全体を溶融金属１の表面まで降下させるときに（図３（ｂ））、スラグ収集部１００全体をまっすぐに溶融金属１の表面まで降下させるだけでなく、スラグ収集部１００全体をスラグ収集部旋回装置によって旋回させながら、溶融金属１の表面まで降下させることもできる。この場合、具体的には、図５で示すように、スラグ収集部１００を、スラグ収集部１００が溶融金属１上のスラグ２の上部に接触するまで降下させ（図５（ａ））、スラグ収集部旋回装置によって、スラグ収集部１００を全体として溶融金属１の表面に沿う方向に旋回させて、溶融金属１上のスラグ２を押しのけて溶融金属表面を露出させ（図５（ｂ）及び（ｃ））、そして溶融金属が露出した箇所１’で、スラグ収集部１００を、降下させることができる（図５（ｄ））。これによれば、溶融金属１上のスラグ２を押し除けながらスラグ収集部１００を溶融金属１の表面まで降下させることができる。
【００４６】
本発明のスラグ除去装置の第１の形式の他の例は、図６に示すようなものである。ここで図６（ａ）は、この例のスラグ収集部１５０の上面図である。
【００４７】
図６で示されているこの例では、スラグ収集部１５０は、２つのスラグ収集器１０３及び１０４の組み合わせから構成されている。
【００４８】
２つのスラグ収集器１０３及び１０４の組み合わせから構成されているスラグ収集部１５０は全体として、スラグ収集部旋回装置によって、矢印１４１及び１４２で示されているようにして、軸１１０の周りに鍋３内の溶融金属１の表面に沿う方向で旋回させることができる。また、２つのスラグ収集器１０３及び１０４は、挟み込み旋回装置によって、それぞれ矢印１４３及び１４４で示されているように、それぞれ軸１１１及び１１２の周りに反対向きに旋回させて、溶融金属１上のスラグ２を挟み込むことができる。
【００４９】
図６で示されているようなスラグ収集部１５０を用いる場合、特許文献１でのようにスラグ収集部１５０を全体として旋回させるスラグ収集部旋回装置を有していないと、複数回のスラグ除去操作を行ったとしても、図７（ａ）で示すように、２つのスラグ収集器１０３及び１０４によってスラグを除去することができない領域１９０が比較的大きくなる。これに対して、本発明のスラグ除去装置でのようにスラグ収集部１５０を全体として旋回させるスラグ収集部旋回装置を有していると、例えばスラグ収集部１５０を全体として９０°旋回させて２回目の複数回のスラグ除去操作を行ったときには、図７（ｂ）で示すように、２つのスラグ収集器１０３及び１０４によってスラグを除去することができない領域１９１が比較的小さくなる。
【００５０】
［第２の形式］
本発明のスラグ除去装置の第２の形式は、スラグ収集部を傾動させるスラグ収集部傾動装置を更に有する。ここでこのスラグ収集部傾動装置は、スラグ収集部の収集口が溶融金属又はその上のスラグに対して斜めに侵入するようにして、スラグ収集部を傾動、例えば揺動させる。
【００５１】
この本発明のスラグ除去装置によれば、スラグ収集部の収集口を溶融金属又はその上のスラグに対して斜めに侵入させることによって、スラグ収集部をスラグに対して押し付けるのではなく、スラグ収集部の収集口でスラグに切り込むようにして、スラグ収集部をスラグの下側に侵入させることができる。
【００５２】
本発明のスラグ除去装置の第２の形式は、スラグ除去装置が、スラグ収集部と協働するスラグ収集協働部を有することができる。ここでこのスラグ収集協働部は、スラグ収集部との間でスラグを挟み込んでスラグをスラグ収集部にすくい取らせ、且つ／又はスラグ収集部上のスラグを掻き出す。このスラグ収集協働部は、任意の形状を有することができ、例えば板状の部材であってよい。
【００５３】
この本発明のスラグ除去装置によれば、スラグ収集協働部によって、スラグ収集部でのスラグの収集及びスラグ収集部からのスラグの除去を確実に行うことができる。
【００５４】
本発明のスラグ除去装置の第２の形式では、スラグ収集部の内側底部が水平面に対して傾斜しており、且つスラグ収集部の内側底部が、その傾斜の下側部分に、スラグと溶融金属とを分離するための開口部を有することができる。
【００５５】
この本発明のスラグ除去装置によれば、液体状の溶融金属がスラグ収集部の傾斜の下側部分に集まるようにし、この部分の開口部から液体状の溶融金属を排出することによって、液体状の溶融金属と固体状のスラグとの分離を促進できる。
【００５６】
本発明のスラグ除去装置の第２の形式では、スラグ収集部が、少なくとも第１及び第２の部分から構成されており、且つスラグ除去装置が、第１及び第２の部分を分離させるスラグ収集部分離装置を有することができる。ここでこのスラグ収集部分離装置は、水平面に対する第１及び／又は第２の部分の内側底部の傾きが大きくなるようにして、第１及び第２の部分を分離させる。ここで、これら第１及び第２の部分は例えば、スラグ収集器と板状体との組み合わせ、又は２つのスラグ収集器の組み合わせであってよい。
【００５７】
この本発明のスラグ除去装置によれば、水平面に対する第１及び／又は第２の部分の内側底部の傾きが大きくなるように第１及び第２の部分を分離することによって、スラグ収集部からの収集したスラグの排出を促進できる。また、場合によっては、スラグ収集部分離装置によって第１及び第２の部分を開閉することによって、スラグポット中のスラグをつかみ取ることもできる。
【００５８】
本発明のスラグ除去装置の第２の形式の例は、図８に示すようなものであってよい。ここで図８（ａ）は、この例の正面図であり、図８（ｂ）は、この例の側面図であり、また図８（ｃ）は、この例のスラグ収集部の上面図である。
【００５９】
図８で示されている例では、２つのスラグ収集器２０３及び２０４で構成されているスラグ収集部２１０は全体として、スラグ収集部旋回装置によって、矢印２５１で示すように溶融金属の表面に沿う方向に旋回させることができる。
【００６０】
またこの例では、スラグ収集部２１０が、スラグ収集部傾動装置によって、軸２０１の周りに矢印２５４で示すように揺動するようにされており、それによってスラグ収集部２１０の収集口は、溶融金属又はその上のスラグに対して斜めに侵入させることができる。
【００６１】
また更にこの例では、スラグ収集部２１０を構成している２つのスラグ収集器２０３及び２０４は、スラグ収集部分離装置によって、分離し、軸２０２の周りにそれぞれ矢印２５２及び２５３で示すように、揺動させることができる。これによって、２つのスラグ収集器２０３及び２０４の内側底部の水平面に対する角度を増加させることができる。
【００６２】
またより更にこの例では、図８（ａ）で示されるように、スラグ収集部の内側底部２０３’及び２０４’が水平面に対して傾斜しており、また図８（ｃ）で示されるように、内側底部２０３’及び２０４’の最下側部付近に、スラグと溶融金属とを分離するための開口部２０３”及び２０４”が提供されている。
【００６３】
本発明のスラグ除去装置の第２の形式の他の例は、図９に示すようなものであってもよい。ここで図９（ａ）は、この例の正面図であり、図９（ｂ）は、この例の側面図であり、また図９（ｃ）は、この例のスラグ収集部の上面図である。
【００６４】
図９で示されているこの例では、一体型のスラグ収集部２１１は全体として、スラグ収集部旋回装置によって、矢印２６１で示すように溶融金属の表面に沿う方向に旋回させることができる。
【００６５】
またこの例では、一体型のスラグ収集部２１１は、スラグ収集部傾動装置によって、軸２１０の周りに矢印２６２で示すように揺動することができ、それによってスラグ収集部２１１の収集口２１３は、溶融金属又はその上のスラグに対して斜めに侵入させることができる。
【００６６】
この例のスラグ除去装置では、図１０に示すように、スラグ収集部２１１と協働するスラグ収集協働部２２０を有することができる。ここでこのスラグ収集協働部２２０は、スラグ収集部２１１との間でスラグを挟み込んでスラグをスラグ収集部２１１にすくい取らせ、且つ／又はスラグ収集部２１１上のスラグを掻き出す。
【００６７】
このスラグ収集協働部２２０を使用してスラグ収集部２１１にスラグを押し込む場合、図１０（ａ）の矢印２７１で示すように、スラグ収集協働部２２０とスラグ収集部２１１との間でスラグを挟み込むようにして、スラグをスラグ収集部２１１に押し込む。また、このスラグ収集協働部２２０を使用してスラグ収集部２１１上のスラグを掻き出す場合、図１０（ａ）の矢印２７２及び２７３で示すように、スラグ収集協働部２２０をスラグ収集部２１１の奥側から収集口側に移動させてスラグを掻き出す。
【図面の簡単な説明】
【００６８】
【図１】本発明のスラグ収集部旋回装置及びスラグ除去装置を使用する設備の例を示す図である。
【図２】本発明のスラグ除去装置のスラグ収集部の１つの例を示す図である。
【図３】図２のスラグ収集部の動作の例を示す図である。
【図４】図２のスラグ収集部の動作の例を示す図である。
【図５】図２のスラグ収集部の動作の例を示す図である。
【図６】本発明のスラグ除去装置のスラグ収集部の他の例を示す図である。
【図７】図６のスラグ収集部によるスラグ除去領域の例を示す図である。
【図８】本発明のスラグ除去装置の１つの例を示す図である。
【図９】本発明のスラグ除去装置の他の例を示す図である。
【図１０】図９のスラグ除去装置の動作の例を示す図である。
【符号の説明】
【００６９】
１    溶融金属
２    スラグ
３    鍋
４    スラグポット
６    車輪
７    ガーター
８    受け梁
９    横行装置
４０    スラグ除去装置
５０、１００、１５０、２１０、２１１    スラグ収集部
６０    スラグ収集部旋回装置
１０１、１０３、１０４    スラグ収集器
１０２    板状体
２２０    スラグ収集協働部
【図１】
2009173957.tif 000003
【図２】
2009173957.tif 000004
【図３】
2009173957.tif 000005
【図４】
2009173957.tif 000006
【図５】
2009173957.tif 000007
【図６】
2009173957.tif 000008
【図７】
2009173957.tif 000009
【図８】
2009173957.tif 000010
【図９】
2009173957.tif 000011
【図１０】
2009173957.tif 000012